(57)【要約】【課題】使用環境の拡大が可能なイオン発生モジュールを提供する。【解決手段】本発明の一形態に係るイオン発生モジュール１は、放電によりイオンを発生させるイオン発生モジュールである。イオン発生モジュール１は、フレキシブルプリント基板から成る。ここで、フレキシブルプリント基板として、第１の電極５を有する第１のフレキシブルプリント基板２と、第２の電極８を有する第２のフレキシブルプリント基板３と、を備えることが好ましい。【選択図】図１
2017098139.tif 000002
【特許請求の範囲】
【請求項１】
放電によりイオンを発生させるイオン発生モジュールであって、
前記イオン発生モジュールは、フレキシブルプリント基板から成る、イオン発生モジュール。
【請求項２】
前記フレキシブルプリント基板として、
第１の電極を有する第１のフレキシブルプリント基板と、
第２の電極を有する第２のフレキシブルプリント基板と、
を備える、請求項１に記載のイオン発生モジュール。
【請求項３】
前記第１のフレキシブルプリント基板は、
第１のフレキシブル基板と、
前記第１のフレキシブル基板上に膜状に形成された前記第１の電極と、
前記第１の電極上に形成された第１の絶縁部と、を備え、
前記第２のフレキシブルプリント基板は、
第２のフレキシブル基板と、
前記第２のフレキシブル基板上に膜状に形成された前記第２の電極と、
前記第２の電極上に形成された第２の絶縁部と、を備え、
前記第１の絶縁部と前記第２の絶縁部とが突き合わされ、前記第１の電極と前記第２の電極との間に空気の流路が形成されている、請求項２に記載のイオン発生モジュール。
【請求項４】
前記第１の絶縁部は、略平行に配置された複数本の帯状の第１の絶縁体を備え、
前記第２の絶縁部は、前記第１の絶縁体と略等しい方向に延在し、且つ略平行に配置された複数本の帯状の第２の絶縁体を備える、請求項３に記載のイオン発生モジュール。
【請求項５】
前記第１のフレキシブルプリント基板と前記第２のフレキシブルプリント基板とは、前記第１の絶縁部の第１の絶縁体と前記第２の絶縁部の第２の絶縁体とが突き合わされた状態で巻かれ、
巻かれた状態の前記第１のフレキシブルプリント基板及び前記第２のフレキシブルプリント基板の両端面から前記空気の流路が露出する、請求項３又は４に記載のイオン発生モジュール。
【請求項６】
前記第１の電極上又は前記第２の電極上に導電性の凸部を備える、請求項１乃至５のいずれか１項に記載のイオン発生モジュール。
【請求項７】
前記フレキシブルプリント基板は、
フレキシブル基板と、
前記フレキシブル基板上に形成された第１の電極と、
前記フレキシブル基板上に形成された第２の電極と、
を備える、請求項１に記載のイオン発生モジュール。
【請求項８】
前記第１の電極と前記第２の電極とは、前記フレキシブル基板上に交互に形成されており、
隣接する前記第１の電極と前記第２の電極との間に空気の流路が形成されている、請求項７に記載のイオン発生モジュール。
【請求項９】
前記第１の電極又は前記第２の電極は、他方の電極に向かって突出する先鋭部を備える、請求項８に記載のイオン発生モジュール。
【請求項１０】
前記第１の電極と前記第２の電極とは、前記フレキシブル基板の向かい合う面上に夫々形成されている、請求項７に記載のイオン発生モジュール。
【請求項１１】
前記第１の電極上又は前記第２の電極上に絶縁部が形成されており、
前記絶縁部が内側に巻き込まれるように前記フレキシブルプリント基板が巻かれている、請求項７乃至１０のいずれか１項に記載のイオン発生モジュール。
【請求項１２】
請求項１乃至１１のいずれか１項に記載のイオン発生モジュールを備える、イオン発生装置。
【請求項１３】
巻かれた前記フレキシブルプリント基板が挿入され、前記フレキシブルプリント基板の巻かれた状態を保持する筐体を備える、請求項１２に記載のイオン発生装置。
【請求項１４】
前記筐体は、空気を吸排気するための複数の貫通孔を備える、請求項１３に記載のイオン発生装置。
【請求項１５】
電源装置を備え、
前記イオン発生モジュールは、本体部と前記本体部から突出し、且つ端部が前記電源装置に電気的に接続される突出部とを有し、
前記突出部は、前記本体部と前記電源装置との間に、前記電源装置に対して前記本体部を首振り可能とする変形部を有し、
前記筐体は、前記変形部を覆う部分に、前記変形部の変形を許容する変形許容部を有する、請求項１３又は１４に記載のイオン発生装置。
【請求項１６】
電源装置を備え、
前記イオン発生モジュールは、本体部と前記本体部から突出し、且つ端部が前記電源装置に電気的に接続される突出部とを有し、
前記突出部の長さを変更することで、前記本体部と前記電源装置との間隔が変更される、請求項１２乃至１５のいずれか１項に記載のイオン発生装置。
【発明の詳細な説明】
【技術分野】
【０００１】
本発明は、イオン発生モジュール及びイオン発生装置に関し、例えば、放電によりイオンを発生させるイオン発生モジュール及びイオン発生装置に関する。
【背景技術】
【０００２】
近年、放電によりイオンを発生させることで、空気中の浮遊細菌などを除去する技術が開発されている。例えば、特許文献１のイオン発生装置は、正イオンとしてＨ＋（Ｈ２Ｏ）ｍ（ｍは任意の自然数）と、負イオンとしてＯ２−（Ｈ２Ｏ）ｎ（ｎは任意の自然数）と、を発生させて空気中に浮遊する浮遊細菌を殺菌している。このようなイオン発生装置は、ガラスなどの非可撓性の硬質な誘電体の向かい合う面に形成された電極間に交流高電圧を印加することにより、プラズマ放電を生じさせ、空気中の酸素や水蒸気を電離してイオンを発生させている。
【先行技術文献】
【特許文献】
【０００３】
【特許文献１】特許第３６８０１２１号公報
【発明の概要】
【発明が解決しようとする課題】
【０００４】
特許文献１のイオン発生装置は、非可撓性の硬質な誘電体の向かい合う面に電極が形成された構成であり、変形させることができず、使用環境が制限される。
【０００５】
本発明は、このような問題を解決するためになされたものであり、使用環境の拡大が可能なイオン発生モジュール及びイオン発生装置を実現する。
【課題を解決するための手段】
【０００６】
本発明の一態様に係るイオン発生モジュールは、放電によりイオンを発生させるイオン発生モジュールであって、
前記イオン発生モジュールは、フレキシブルプリント基板から成る。
【０００７】
上述のイオン発生モジュールにおいて、
前記フレキシブルプリント基板として、
第１の電極を有する第１のフレキシブルプリント基板と、
第２の電極を有する第２のフレキシブルプリント基板と、
を備えることが好ましい。
【０００８】
上述のイオン発生モジュールにおいて、
前記第１のフレキシブルプリント基板は、
第１のフレキシブル基板と、
前記第１のフレキシブル基板上に膜状に形成された前記第１の電極と、
前記第１の電極上に形成された第１の絶縁部と、を備え、
前記第２のフレキシブルプリント基板は、
第２のフレキシブル基板と、
前記第２のフレキシブル基板上に膜状に形成された前記第２の電極と、
前記第２の電極上に形成された第２の絶縁部と、を備え、
前記第１の絶縁部と前記第２の絶縁部とが突き合わされ、前記第１の電極と前記第２の電極との間に空気の流路が形成されていることが好ましい。
【０００９】
上述のイオン発生モジュールにおいて、
前記第１の絶縁部は、略平行に配置された複数本の帯状の第１の絶縁体を備え、
前記第２の絶縁部は、前記第１の絶縁体と略等しい方向に延在し、且つ略平行に配置された複数本の帯状の第２の絶縁体を備えることが好ましい。
【００１０】
上述のイオン発生モジュールにおいて、前記第１のフレキシブルプリント基板と前記第２のフレキシブルプリント基板とは、前記第１の絶縁部の第１の絶縁体と前記第２の絶縁部の第２の絶縁体とが突き合わされた状態で巻かれ、
巻かれた状態の前記第１のフレキシブルプリント基板及び前記第２のフレキシブルプリント基板の両端面から前記空気の流路が露出することが好ましい。
【００１１】
上述のイオン発生モジュールにおいて、前記第１の電極上又は前記第２の電極上に導電性の凸部を備えることが好ましい。
【００１２】
上述のイオン発生モジュールにおいて、
前記フレキシブルプリント基板は、
フレキシブル基板と、
前記フレキシブル基板上に形成された第１の電極と、
前記フレキシブル基板上に形成された第２の電極と、
を備えることが好ましい。
【００１３】
上述のイオン発生モジュールにおいて、前記第１の電極と前記第２の電極とは、前記フレキシブル基板上に交互に形成されており、
隣接する前記第１の電極と前記第２の電極との間に空気の流路が形成されていることが好ましい。
【００１４】
上述のイオン発生モジュールにおいて、前記第１の電極又は前記第２の電極は、他方の電極に向かって突出する先鋭部を備えることが好ましい。
【００１５】
上述のイオン発生モジュールにおいて、前記第１の電極と前記第２の電極とは、前記フレキシブル基板の向かい合う面上に夫々形成されていることが好ましい。
【００１６】
上述のイオン発生モジュールにおいて、前記第１の電極上又は前記第２の電極上に絶縁部が形成されており、
前記絶縁部が内側に巻き込まれるように前記フレキシブルプリント基板が巻かれていることが好ましい。
【００１７】
本発明の一態様に係るイオン発生装置は、上述のイオン発生モジュールを備える。
【００１８】
上述のイオン発生装置において、巻かれた前記フレキシブルプリント基板が挿入され、前記フレキシブルプリント基板の巻かれた状態を保持する筐体を備えることが好ましい。
【００１９】
上述のイオン発生装置において、前記筐体は、空気を吸排気するための複数の貫通孔を備えることが好ましい。
【００２０】
上述のイオン発生装置において、
電源装置を備え、
前記イオン発生モジュールは、本体部と前記本体部から突出し、且つ端部が前記電源装置に電気的に接続される突出部とを有し、
前記突出部は、前記本体部と前記電源装置との間に、前記電源装置に対して前記本体部を首振り可能とする変形部を有し、
前記筐体は、前記変形部を覆う部分に、前記変形部の変形を許容する変形許容部を有することが好ましい。
【００２１】
上述のイオン発生装置において、
電源装置を備え、
前記イオン発生モジュールは、本体部と前記本体部から突出し、且つ端部が前記電源装置に電気的に接続される突出部とを有し、
前記突出部の長さを変更することで、前記本体部と前記電源装置との間隔が変更されることが好ましい。
【発明の効果】
【００２２】
本発明により、使用環境の拡大が可能なイオン発生モジュール及びイオン発生装置を実現することができる。
【図面の簡単な説明】
【００２３】
【図１】実施の形態１のイオン発生モジュールを模式的に示す斜視図である。
【図２】実施の形態１のイオン発生モジュールにおける第１のフレキブルプリント基板を模式的に示す斜視図である。
【図３】実施の形態１の第１のフレキシブルプリント基板を部分的に拡大して示す斜視図である。
【図４】実施の形態１のイオン発生モジュールにおける第２のフレキブルプリント基板を模式的に示す斜視図である。
【図５】実施の形態１のイオン発生モジュールを部分的に拡大して示す斜視図である。
【図６】実施の形態２のイオン発生装置を模式的に示す分解図である。
【図７】実施の形態２のイオン発生装置におけるイオン発生モジュールアセンブリを電源装置に電気的に接続する様子を説明するための図である。
【図８】実施の形態２のイオン発生モジュールを模式的に示す斜視図である。
【図９】実施の形態２のイオン発生装置における第１の接続コネクタを模式的に示す斜視図である。
【図１０】実施の形態２のイオン発生装置における第１の接続コネクタを模式的に示す縦断面図である。
【図１１】実施の形態２のイオン発生装置における第２の接続コネクタを模式的に示す縦断面図である。
【図１２】実施の形態３のイオン発生モジュールにおける第１のフレキブルプリント基板を模式的に示す斜視図である。
【図１３】実施の形態３の第１のフレキシブルプリント基板を部分的に拡大して示す斜視図である。
【図１４】実施の形態４のイオン発生モジュールを模式的に示す斜視図である。
【図１５】実施の形態４のイオン発生モジュールにおける第１の電極及び第２の電極を模式的に示す斜視図である。
【図１６】実施の形態４のイオン発生モジュールにおける第１の電極及び第２の電極を部分的に拡大して示す斜視図である。
【図１７】実施の形態５のイオン発生モジュールを部分的に拡大して示す斜視図である。
【発明を実施するための形態】
【００２４】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００２５】
＜実施の形態１＞
本実施の形態のイオン発生モジュールを説明する。図１は、本実施の形態のイオン発生モジュールを模式的に示す斜視図である。図２は、本実施の形態のイオン発生モジュールにおける第１のフレキブルプリント基板を模式的に示す斜視図である。図３は、本実施の形態の第１のフレキシブルプリント基板を部分的に拡大して示す斜視図である。図４は、本実施の形態のイオン発生モジュールにおける第２のフレキブルプリント基板を模式的に示す斜視図である。図５は、本実施の形態のイオン発生モジュールを部分的に拡大して示す斜視図である。
【００２６】
本実施の形態のイオン発生モジュールは、放電によりイオンを発生させるために用いられる。図１に示すイオン発生モジュール１は、フレキシブルプリント基板から成る。そのため、イオン発生モジュール１は、変形可能であり、使用環境を拡大することができる。
【００２７】
詳細には、イオン発生モジュール１は、図１に示すように、第１のフレキシブルプリント基板２及び第２のフレキシブルプリント基板３を備えている。第１のフレキシブルプリント基板２は、図２及び図３に示すように、第１のフレキシブル基板４、第１の電極５及び第１の絶縁部６を備えている。
【００２８】
第１のフレキシブル基板４は、一般的なフレキシブル基板と同様に、フレキシブルな薄膜の絶縁体である。例えば、第１のフレキシブル基板４は、略四角形状の本体部４ａを備えており、当該本体部４ａの角部から突出部４ｂが突出している。
【００２９】
第１の電極５は、第１のフレキシブル基板４上に形成された、フレキシブルな導電膜である。例えば、第１の電極５は、第１のフレキシブル基板４の一方の主面の全域を覆うように、第１のフレキシブル基板４上に接着剤（図示を省略）を介して接合されている。このとき、第１の電極５における外部の電極端子（図示を省略）に電気的に接続される接続部５ａが第１のフレキシブル基板４の突出部４ｂから突出している。
【００３０】
第１の絶縁部６は、第１の電極５上に形成された、フレキシブルな絶縁体である。例えば、第１の絶縁部６は、複数の第１の絶縁体６ａを備えている。第１の絶縁体６ａは、帯状に形成されており、略等しい間隔を開けて略平行に配置されている。
【００３１】
ここで、第１の絶縁体６ａが延在する方向は、例えば、第１のフレキシブル基板４の突出部４ｂが本体部４ａから突出する方向と略平行である。このような第１の絶縁部６は、第１の電極５の略全域を覆うように形成し、その後、不要な部分をエッチングすることで形成することができる。又は、第１の絶縁部６をパターニングによって形成することができる。
【００３２】
第２のフレキシブルプリント基板３は、図４に示すように、第２のフレキシブル基板７、第２の電極８及び第２の絶縁部９を備えている。第２のフレキシブル基板７も、一般的なフレキシブル基板と同様に、フレキシブルな薄膜の絶縁体である。例えば、第２のフレキシブル基板７は、略四角形状の本体部７ａを備えており、当該本体部７ａの角部から突出部７ｂが突出する。
【００３３】
ここで、第２のフレキシブル基板７の突出部７ｂは、図１に示すように、第１のフレキシブルプリント基板２と第２のフレキシブルプリント基板３とを重ねた際に、第１のフレキシブル基板４の突出部４ｂと略重なるように配置されている。
【００３４】
第２の電極８は、第２のフレキシブル基板７上に形成された、フレキシブルな導電膜である。例えば、第２の電極８は、第２のフレキシブル基板７の一方の主面の全域を覆うように、第２のフレキシブル基板７上に接着剤（図示を省略）を介して接合されている。このとき、第２の電極８における外部の電極端子（図示を省略）に電気的に接続される接続部８ａが第２のフレキシブル基板７の突出部７ｂから突出する。
【００３５】
第２の絶縁部９は、第２の電極８上に形成された、フレキシブルな絶縁体であり、図１及び図５に示すように、第１のフレキシブルプリント基板２と第２のフレキシブルプリント基板３とを重ねた際に、第１の絶縁部６と突き合わされる。
【００３６】
例えば、第２の絶縁部９は、複数の第２の絶縁体９ａを備えている。第２の絶縁体９ａは、第１の絶縁体６ａと略等しい幅寸法を有する帯状に形成されており、略等しい間隔を開けて略平行に配置されている。ここで、第２の絶縁体９ａが延在する方向は、第１の絶縁体６ａが延在する方向と略平行である。また、第２の絶縁体９ａの間隔は、第１の絶縁部６の間隔と略等しい。このような第２の絶縁部９は、第２の電極８の略全域を覆うように形成し、その後、不要な部分をエッチングすることで形成することができる。又は、第２の絶縁部９をパターニングによって形成することができる。
【００３７】
これらのフレキシブルプリント基板２と第２のフレキシブルプリント基板３とが、図１及び図５に示すように、第１の絶縁部６における第１の絶縁体６ａの頂面と第２の絶縁部９における第２の絶縁体９ａの頂面とを突き合せた形態で重ねられて、イオン発生モジュール１とされている。
【００３８】
このとき、図５に示すように、第１の電極５と、第２の電極８と、隣接する第１の絶縁体６ａ及び第２の絶縁体９ａと、で空気の流路１０が形成される。そのため、第１の絶縁体６ａ及び第２の絶縁体９ａは、空気の流路１０が良好に形成されるように適宜、高さ及び間隔が設定される。
【００３９】
上述のイオン発生モジュール１における第１の電極５の接続部５ａに電源の正極端子を電気的に接続し、第２の電極８の接続部８ａに電源の負極端子を接続して正極端子には＋側の直流高電圧を、負極側には−側の直流高電圧を印加すると、第１の電極５と第２の電極８との間で放電現象が起こり、空気中の酸素や水蒸気を電離してイオンが発生する。
【００４０】
ここで、イオンの発生量は、第１の電極５及び第２の電極８における空気との接触面積に依存するが、本実施の形態では、空気の流路１０内において第１の電極５と第２の電極８とが向かい合って露出する。そのため、電極と空気との接触面積を稼ぐことができ、多くのイオンを発生させることができる。
【００４１】
しかも、イオン発生モジュール１は、第１のフレキシブルプリント基板２及び第２のフレキシブルプリント基板３から成るので、変形可能であり、使用環境を拡大することができる。
【００４２】
＜実施の形態２＞
本実施の形態では、実施の形態１のイオン発生モジュール１を巻いた形態で用いて、イオン発生装置を構成する。図６は、本実施の形態のイオン発生装置を模式的に示す分解図である。図７は、本実施の形態のイオン発生装置におけるイオン発生モジュールアセンブリを電源装置に電気的に接続する様子を説明するための図である。図８は、本実施の形態のイオン発生モジュールを模式的に示す斜視図である。図９は、本実施の形態のイオン発生装置における第１の接続コネクタを模式的に示す斜視図である。図１０は、本実施の形態のイオン発生装置における第１の接続コネクタを模式的に示す縦断面図である。図１１は、本実施の形態のイオン発生装置における第２の接続コネクタを模式的に示す縦断面図である。なお、実施の形態１と重複する説明は省略し、等しい構成要素には等しい符号を用いて説明する。
【００４３】
先ず、本実施の形態のイオン発生装置２１の構成を説明する。イオン発生装置２１は、図６及び図７に示すように、イオン発生モジュールアセンブリ２２及び電源装置２３を備えている。イオン発生モジュールアセンブリ２２は、イオン発生モジュール２４、筐体２５、第１の接続コネクタ２６及び第２の接続コネクタ２７を備えている。
【００４４】
イオン発生モジュール２４は、図８に示すように、実施の形態１のイオン発生モジュール１を巻いて成る。このとき、イオン発生モジュール２４の軸方向に第１の絶縁体６ａ及び第２の絶縁体９ａが延在する。
【００４５】
これにより、イオン発生モジュール２４の捲回部（本体部）２４ａの一方の端面から他方の端面に向かって空気の流路１０が貫通し、イオン発生モジュール２４の捲回部２４ａの両端面から空気の流路１０が露出する。そして、イオン発生モジュール２４の捲回部２４ａの一方の端面から第１の電極５の接続部５ａ及び第２の電極８の接続部８ａなどの突出部２４ｂが突出する。
【００４６】
筐体２５は、イオン発生モジュール２４の捲回部２４ａを収容して当該捲回部２４ａが巻かれた形態を保持する。筐体２５は、図６及び図７に示すように、例えば、キャップ形状に形成されており、円筒部２５ａ及び円筒部２５ａの一方の開口を塞ぐ蓋部２５ｂを備えている。
【００４７】
円筒部２５ａは、イオン発生モジュール２４の捲回部２４ａを収容可能な高さを有し、複数の貫通孔２５ｃを備えている。貫通孔２５ｃは、空気の吸排気口として機能する。そのため、貫通孔２５ｃは、空気を吸排出することができるように配置されていればよいが印加電圧を変えることなく、貫通孔２５ｃの個数などを変えることで空気の流量を調整し所望のイオンの発生量を得ることができる。
【００４８】
第１の接続コネクタ２６は、図９及び図１０に示すように、本体部２６ａ、第１の端子２６ｂ及び第２の端子２６ｃを備えている。本体部２６ａは、第１の端子２６ｂ及び第２の端子２６ｃを支持する。本体部２６ａは、例えば、略水平な切り欠き部２６ｄを有する略Ｃ字形状である。そして、本体部２６ａは、切り欠き部２６ｄを挟んで一方の部分に、第１の端子２６ｂが挿入される第１の挿入溝２６ｅ及び当該第１の端子２６ｂを支持する第１の支持部２６ｆを備えている。また、本体部２６ａは、切り欠き部２６ｄを挟んで他方の部分に、第２の端子２６ｃが挿入される第２の挿入溝２６ｇ及び当該第２の端子２６ｃを支持する第２の支持部２６ｈを備えている。
【００４９】
第１の端子２６ｂは、折り曲げられた導電性の板バネである。第１の端子２６ｂは、内部に第１の支持部２６ｆが挿入されるように第１の挿入溝２６ｅに挿入され、第１の支持部２６ｆによって支持されている。そして、第１の端子２６ｂの一方の端部は、切り欠き部２６ｄから突出する。また、第１の端子２６ｂの他方の端部は、本体部２６ａの外側面から突出する。
【００５０】
第２の端子２６ｃは、折り曲げられた導電性の板バネである。第２の端子２６ｃは、内部に第２の支持部２６ｈが挿入されるように第２の挿入溝２６ｇに挿入され、第２の支持部２６ｈによって支持されている。そして、第２の端子２６ｃの一方の端部は、切り欠き部２６ｄから突出し、第１の端子２６ｂの一方の端部と向かい合っている。また、第２の端子２６ｃの他方の端部は、本体部２６ａの外側面から突出する。
【００５１】
第２の接続コネクタ２７は、図６、図７及び図１１に示すように、本体部２７ａ、第１の端子２７ｂ及び第２の端子２７ｃを備えている。本体部２７ａは、第１の端子２７ｂ及び第２の端子２７ｃを支持する。本体部２７ａは、例えば、円筒形状を基本形態とし、内部に第１の接続コネクタ２６を挿入した際に当該第１の接続コネクタ２６を保持する保持部２７ｄを備えている。保持部２７ｄは、例えば、第１の接続コネクタ２６を挟み込んで固定する。
【００５２】
第１の端子２７ｂは、本体部２７ａを軸方向から見て、本体部２７ａにおける保持部２７ｄの間の一方の部分に配置されており、本体部２７ａの内周面及び外周面から露出する。そして、第１の端子２７ｂは、本体部２７ａの周方向に延在する。
【００５３】
第２の端子２７ｃは、本体部２７ａを軸方向から見て、本体部２７ａにおける保持部２７ｄの間の他方の部分に配置されており、本体部２７ａの内周面及び外周面から露出する。そして、第２の端子２７ｃは、本体部２７ａの周方向に延在する。
【００５４】
電源装置２３は、イオン発生モジュール２４に電圧を印加する。電源装置２３は、図６及び図７に示すように、イオン発生モジュールアセンブリ２２の第２の接続コネクタ２７が挿入される挿入孔２３ａを有する筐体２３ｂ、及び筐体２３ｂ内に搭載された図示を省略した基板や二次電池、スイッチなどを備えている。
【００５５】
挿入孔２３ａは、第２の接続コネクタ２７を挿入する際に、第２の接続コネクタ２７の第１の端子２７ｂ及び第２の端子２７ｃを夫々誘導する誘導溝２３ｃを備えている。そして、誘導溝２３ｃから二次電池に電気的に接続された正極端子及び負極端子（図示は省略）が夫々露出する。
【００５６】
次に、本実施の形態のイオン発生装置２１を組み立てる流れを説明する。先ず、実施の形態１のイオン発生モジュール１を巻いてイオン発生モジュール２４を得る。
【００５７】
次に、筐体２５の内部にイオン発生モジュール２４の捲回部２４ａを挿入し、筐体２５の開口からイオン発生モジュール２４の突出部２４ｂを突出させる。このとき、イオン発生モジュール２４における空気の流路１０は、筐体２５の軸方向に延在する。
【００５８】
次に、イオン発生モジュール２４の突出部２４ｂを第１の接続コネクタ２６における本体部２６ａの切り欠き部２６ｄに挿入し、突出部２４ｂを第１の接続コネクタ２６における第１の端子２６ｂの一方の端部と第２の端子２６ｃの一方の端子とで挟み込む。その結果、イオン発生モジュール２４の第１の電極５の接続部５ａは、第２の端子２６ｃの一方の端部に電気的に接続され、イオン発生モジュール２４の第２の電極８の接続部８ａは、第１の端子２６ｂの一方の端部に電気的に接続される。
【００５９】
次に、第１の接続コネクタ２６を第２の接続コネクタ２７における本体部２７ａの内部に挿入し、第１の接続コネクタ２６の第１の端子２６ｂの他方の端部を第２の接続コネクタ２７の第１の端子２７ｂに電気的に接続し、第１の接続コネクタ２６の第２の端子２６ｃの他方の端部を第２の接続コネクタ２７の第２の端子２７ｃに電気的に接続する。これにより、イオン発生モジュールアセンブリ２２を得ることができる。
【００６０】
次に、イオン発生モジュールアセンブリ２２における第２の接続コネクタ２７を、電源装置２３における筐体２３ｂの挿入孔２３ａに挿入する。このとき、第２の接続コネクタ２７の第１の端子２７ｂ及び第２の端子２７ｃは夫々、挿入孔２３ａの誘導溝２３ｃによって誘導され、第２の接続コネクタ２７の第１の端子２７ｂが電源装置２３の正極端子に電気的に接続され、第２の接続コネクタ２７の第２の端子２７ｃが電源装置２３の負極端子に電気的に接続される。
【００６１】
ここで、誘導溝２３ｃは、例えば、挿入孔２３ａの軸方向に延在する部分及び当該部分の端部から挿入孔２３ａの周方向に延在する部分を備える略Ｌ字形状に形成されているとよい。そして、第２の接続コネクタ２７を挿入孔２３ａの軸方向に挿入した後に当該挿入孔２３ａの周方向に捩じって第２の接続コネクタ２７の電極端子と電源装置２３の電極端子とを電気的に接続する構成とするとよい。これにより、第２の接続コネクタ２７が電源装置２３から抜けることを抑制でき、イオン発生モジュールアセンブリ２２を電源装置２３に確実に接続することができる。
【００６２】
このようなイオン発生装置２１において、イオン発生モジュールアセンブリ２２の電源装置２３側が他方の側に比べて、電源装置２３の発熱によって高温の環境下に配置される。そして、本実施の形態の空気の流路１０は、筐体２５の軸方向に延在しているので、空気の流路１０内において空気が当該他方の側から電源装置２３側に積極的に流れる（即ち、対流が生じる）。その結果、実施の形態１のイオン発生モジュール１を用いた場合に比べて、より多くのイオンを発生させることができる。
【００６３】
しかも、本実施の形態のイオン発生装置２１は、イオン発生モジュールアセンブリ２２と電源装置２３との簡易な構成であるので、携帯することができ、使用環境を一層拡大することができる。
【００６４】
ここで、イオン発生モジュール２４の突出部２４ｂの長さを変更すると、イオン発生モジュール２４の捲回部２４ａと電源装置２３との間隔を変更することができ、イオン発生モジュール２４の捲回部２４ａが電源装置２３から離れた位置でもイオンを発生させることができる。
【００６５】
また、電源装置２３に対してイオン発生モジュール２４の捲回部２４ａ及び筐体２５が首振り可能な構成とすることもできる。このとき、イオン発生モジュール２４の捲回部２４ａと電源装置２３との間に、イオン発生モジュール２４の捲回部２４ａが電源装置２３に対して首振り可能となる間隔を形成するように、イオン発生モジュール２４の突出部２４ｂの長さが設定される。つまり、突出部２４ｂは、電源装置２３に対してイオン発生モジュール２４の捲回部２４ａを首振り可能とする変形部２４ｃを有する。そして、筐体２５におけるイオン発生モジュール２４の変形部２４ｃを覆う部分（本実施の形態では、筐体２５における電源装置２３側の端部）が当該変形部２４ｃの変形を許容する変形許容部２５ｄとされる。変形許容部２５ｄは、例えば、自在チューブで構成される。このような構成により、電源装置２３に対してイオン発生モジュール２４の捲回部２４ａ及び筐体２５を首振り可能な構成とすることができる。
【００６６】
＜実施の形態３＞
本実施の形態のイオン発生モジュールは、実施の形態１などのイオン発生モジュール１に比べて放電が生じ易い構成とされている。図１２は、本実施の形態のイオン発生モジュールにおける第１のフレキブルプリント基板を模式的に示す斜視図である。図１３は、本実施の形態の第１のフレキシブルプリント基板を部分的に拡大して示す斜視図である。なお、実施の形態１と重複する説明は省略し、等しい構成要素には等しい符号を用いて説明する。また、第２のフレキシブルプリント基板は、第１のフレキシブルプリント基板と略等しい構成とされているため、図示は省略する。
【００６７】
本実施の形態の第１のフレキシブルプリント基板３１は、実施の形態１の第１のフレキシブルプリント基板２と略等しい構成とされているが、隣接する第１の絶縁体６ａの間で露出する第１の電極５上に導電性の凸部（ビット）３２が形成されている。そして、第２のフレキシブルプリント基板における隣接する第２の絶縁体９ａの間で露出する第２の電極８上にも導電性の凸部が形成されている。これらの凸部は、第１のフレキシブル基板４上又は第２のフレキシブル基板７上に形成した銅膜をエッチングすることで、第１の電極５又は第２の電極８と共に形成することができる。但し、本実施の形態では、導電性の凸部を第１の電極５上及び第２の電極８上に形成しているが、少なくとも一方の電極に形成すればよい。
【００６８】
このような第１のフレキシブルプリント基板３１及び第２のフレキシブルプリント基板を用いると、第１の電極５の凸部３２と第２の電極８の凸部との間で放電を誘発させ易く、実施の形態１のイオン発生モジュール１に比べて、より多くのイオンを発生させることができる。
【００６９】
なお、実施の形態２のイオン発生モジュール２４と同様に、本実施の形態のイオン発生モジュールも巻いた形態で用いることができる。
【００７０】
＜実施の形態４＞
本実施の形態のイオン発生モジュールは、一枚のフレキシブル基板上に第１の電極及び第２の電極が形成されている。図１４は、本実施の形態のイオン発生モジュールを模式的に示す斜視図である。図１５は、本実施の形態のイオン発生モジュールにおける第１の電極及び第２の電極を模式的に示す斜視図である。図１６は、本実施の形態のイオン発生モジュールにおける第１の電極及び第２の電極を部分的に拡大して示す斜視図である。
【００７１】
本実施の形態のイオン発生モジュール４１は、図１４に示すように、フレキシブル基板４２における一方の主面上に形成された第１の電極４３並びに第２の電極４４、及び第１の電極４３上及び第２の電極４４上に形成された絶縁部４５を備えている。
【００７２】
第１の電極４３は、フレキシブルな導電膜である。そして、第１の電極４３は、図１５に示すように、櫛歯部４３ａ、櫛歯部４３ａの各々の歯４３ｂが集合する集合部４３ｃ及び櫛歯部４３ａの角部から突出する突出部４３ｄを備えている。
【００７３】
第２の電極４４も、フレキシブルな導電膜である。そして、第２の電極４４は、図１５に示すように、櫛歯部４４ａ、櫛歯部４４ａの各々の歯４４ｂが集合する集合部４４ｃ及び櫛歯部４４ａの角部から突出する突出部４４ｄを備えている。
【００７４】
これらの第１の電極４３の櫛歯部４３ａと第２の電極４４の櫛歯部４４ａとは噛み合わされ、第１の電極４３の歯４３ｂと第２の電極４４の歯４４ｂとが交互に配置されている。これにより、フレキシブル基板４２における一方の主面上で、第１の電極４３と第２の電極４４とが交互に並ぶことになる。
【００７５】
絶縁部４５は、例えば、第１の電極４３における歯４３ｂの先端部と第２の電極４４の集合部４４ｃとの間隔部分、及び第２の電極４４における歯４４ｂの先端部と第１の電極４３の集合部４３ｃとの間隔部分が露出するように、第１の電極４３上及び第２の電極４４上に形成されている。
【００７６】
このような構成により、本実施の形態のイオン発生モジュール４１は、第１の電極４３の側面と第２の電極４４の側面との間に空気の流路４８が形成され、第１の電極４３と第２の電極４４との間で放電が生じ、イオンを発生させることができる。しかも、イオン発生モジュール４１も、実施の形態１と同様にフレキシブルプリント基板から成るので、使用環境を拡大することができる。
【００７７】
ここで、図１６に示すように、各々の電極における歯の先端部に第１の先鋭部４６を備え、第１の先鋭部４６を備える電極に対する他方の電極の集合部における第１の先鋭部４６と対向する部分に第２の先鋭部４７を備えていることが好ましい。第１の先鋭部４６と第２の先鋭部４７とは、対向し、且つ対向する他方の先鋭部に向かって幅寸法が細くなる。これにより、第１の先鋭部４６と第２の先鋭部４７との間で放電を誘発させ易い構成とすることができる。
【００７８】
また、実施の形態２のイオン発生モジュール２４と同様に、絶縁部４５が内側に巻き込まれるようにイオン発生モジュール４１を巻いた形態で用いることもできる。
【００７９】
なお、本実施の形態では、第１の電極４３の櫛歯部４３ａと第２の電極４４の櫛歯部４４ａとを噛み合わせているが、この限りでない。例えば、第１の電極４３を渦巻形に形成し、第２の電極４４も渦巻形に形成し、第１の電極４３と第２の電極４４とを交互に配置してもよい。要するに、放電が生じるように、第１の電極４３と第２の電極４４とが交互に配置されていればよい。
【００８０】
＜実施の形態５＞
本実施の形態のイオン発生モジュールは、沿面放電が生じる構成とされている。図１７は、本実施の形態のイオン発生モジュールを部分的に拡大して示す斜視図である。
【００８１】
本実施の形態のイオン発生モジュール５１は、図１７に示すように、フレキシブル基板５２の一方の主面上に第１の電極５３が形成され、フレキシブル基板５２の他方の主面上に第２の電極５４が形成された構成である。このような構成により、第１の電極５３と第２の電極５４との間で沿面放電が生じ、イオンを発生させることができる。しかも、本実施の形態のイオン発生モジュール５１もフレキシブルプリント基板から成るので、使用環境を拡大することができる。
【００８２】
なお、実施の形態４のイオン発生モジュール４１と同様に、本実施の形態のイオン発生モジュールも巻いた形態で用いることができる。
【００８３】
以上、本発明の実施の形態を説明したが、上記の構成に限らず、本発明の技術的思想を逸脱しない範囲で、変更することが可能である。また、上記実施の形態を組み合わせることも可能である。
【００８４】
例えば、上記実施の形態では、第１の電極及び第２の電極に直流電力を供給しているが、交流電力を供給してもよい。
【符号の説明】
【００８５】
１  イオン発生モジュール
２  第１のフレキシブルプリント基板
３  第２のフレキシブルプリント基板
４  第１のフレキシブル基板、４ａ  本体部、４ｂ  突出部
５  第１の電極、５ａ  接続部
６  第１の絶縁部、６ａ  第１の絶縁体
７  第２のフレキシブル基板、７ａ  本体部、７ｂ  突出部
８  第２の電極、８ａ  接続部
９  第２の絶縁部、９ａ  第２の絶縁体
１０  流路
２１  イオン発生装置
２２  イオン発生モジュールアセンブリ
２３  電源装置、２３ａ  挿入孔、２３ｂ  筐体、２３ｃ  誘導溝
２４  イオン発生モジュール、２４ａ  捲回部、２４ｂ  突出部
２５  筐体、２５ａ  円筒部、２５ｂ  蓋部、２５ｃ  貫通孔
２６  第１の接続コネクタ、２６ａ  本体部、２６ｂ  第１の端子、２６ｃ  第２の端子、２６ｄ  切り欠き部、２６ｅ  第１の挿入溝、２６ｆ  第１の支持部、２６ｇ  第２の挿入溝、２６ｈ  第２の支持部
２７  第２の接続コネクタ、２７ａ  本体部、２７ｂ  第１の端子、２７ｃ  第２の端子、２７ｄ  保持部
３１  フレキシブルプリント基板
３２  凸部
４１  イオン発生モジュール
４２  フレキシブル基板
４３  第１の電極、４３ａ  櫛歯部、４３ｂ  歯、４３ｃ  集合部、４３ｄ  突出部
４４  第２の電極、４４ａ  櫛歯部、４４ｂ  歯、４４ｃ  集合部、４４ｄ  突出部
４５  絶縁部
４６  第１の先鋭部
４７  第２の先鋭部
４８  流路
５１  イオン発生モジュール
５２  フレキシブル基板
５３  第１の電極
５４  第２の電極
【図１】
2017098139.tif 000003
【図２】
2017098139.tif 000004
【図３】
2017098139.tif 000005
【図４】
2017098139.tif 000006
【図５】
2017098139.tif 000007
【図６】
2017098139.tif 000008
【図７】
2017098139.tif 000009
【図８】
2017098139.tif 000010
【図９】
2017098139.tif 000011
【図１０】
2017098139.tif 000012
【図１１】
2017098139.tif 000013
【図１２】
2017098139.tif 000014
【図１３】
2017098139.tif 000015
【図１４】
2017098139.tif 000016
【図１５】
2017098139.tif 000017
【図１６】
2017098139.tif 000018
【図１７】
2017098139.tif 000019